(57)【要約】【課題】  パーテーションや安全柵等の枠体のレイアウト変更に対する枠体保持の自由度を高める。【解決手段】  枠体保持脚２００では、支柱アッシーＳに対してその半周を覆うよう第１パーツ２１０の第１半円筒体２１２をセットし、この第１半円筒体２１２の開口縁突出部２２６に、第２半円筒体２５２の開口縁係合部２５６を係合させて両半円筒体をその半割り開口縁で接合させる。その上で、両半円筒体が有する固定用突出部２３０と固定用突出部２５８をボルト２０２にて固定する。両半円筒体は、それぞれその下端で第１プレート２１４と第２プレート２５４と一体であるので、枠体保持脚２００は、支柱アッシーＳを両半円筒体にて包囲してパーテーション１０を支柱アッシーＳを介して片持ち保持し、両プレートの位置については、支柱アッシーＳの周囲のどの方向とすることができる。【選択図】  図１１
2010150873.tif 000002
【特許請求の範囲】
【請求項１】
支柱を有する枠体を床面に対して保持する枠体保持脚であって、
前記支柱を包囲して支柱ホールドが可能な形状の筒状体を筒軸線に沿って縦割り分割した第１縦分割筒体と第２縦分割筒体と、
該第１縦分割筒体の一端側から前記筒軸線に交差するよう延在して前記第１縦分割筒体を保持すると共に、アンカーボルトの挿入用の挿入孔を備えて前記床面に接する第１プレートと、
前記第１縦分割筒体が前記縦分割開口縁の一方の側に有する開口縁部と、
前記第２縦分割筒体が前記開口縁部に対応する側の前記縦分割開口縁に有し、前記第１縦分割筒体の前記開口縁部と係合する開口縁係合部と、
該開口縁係合部が前記開口縁部に係合した状態で前記第１縦分割筒体と前記第２縦分割筒体の両縦分割筒体が前記縦分割開口縁の両開口縁で接合すると、該接合状態を保持するよう前記両縦分割筒体を固定する固定具とを備える
枠体保持脚。
【請求項２】
前記挿入孔は、前記第１プレートにおいて前記筒軸線に交差する方向を長手方向とする長孔とされている請求項１に記載の枠体保持脚。
【請求項３】
前記第１縦分割筒体と前記第２縦分割筒体は、前記支柱を包囲する径の円形の筒状体を縦方向に半割りした半円筒形をなす請求項１または請求項２に記載の枠体保持脚。
【請求項４】
請求項１ないし請求項３いずれかに記載の枠体保持脚であって、
前記第１縦分割筒体は、前記開口縁部を前記縦分割開口縁から外側に延びた開口縁突出部として、該開口縁突出部に開口を備え、
前記第２縦分割筒体は、前記開口縁係合部を前記対応する側の前記縦分割開口縁から外側に延びたものとし、前記開口縁係合部を前記開口に入り込ませて前記開口縁突出部に係合させる
枠体保持脚。
【請求項５】
前記第１縦分割筒体は前記開口を前記縦分割開口縁に沿った複数箇所に備え、前記第２縦分割筒体は前記複数箇所の前記開口に対応させて前記開口縁係合部を備える請求項４に記載の枠体保持脚。
【請求項６】
前記固定具は、ボルトとナットとされ、前記第１縦分割筒体と前記第２縦分割筒体とを、両縦分割筒体の前記縦分割開口縁の他方の側からそれぞれ外側に延びた固定用突出部に形成された切欠において固定する請求項１ないし請求項５のいずれかに記載の枠体保持脚。
【請求項７】
請求項１ないし請求項６のいずれかに記載の枠体保持脚であって、
前記第１縦分割筒体と前記第２縦分割筒体の一方は、前記縦分割開口縁の他方の側に開口凹所を備え、前記第１縦分割筒体と前記第２縦分割筒体の他方は、前記開口凹所に入り込む凸部を備える
枠体保持脚。
【請求項８】
請求項１ないし請求項７のいずれかに記載の枠体保持脚であって、
前記第２縦分割筒体の一端側から前記筒軸線に交差するよう延在して前記第２縦分割筒体を保持する第２プレートを備え、
該第２プレートは、
前記開口縁係合部が前記開口縁突出部に係合した状態で前記第２縦分割筒体と前記第１縦分割筒体とが前記縦分割開口縁で接合すると、前記第１プレートの上に重なり、前記第１プレートの前記挿入孔に重なる孔を有する
枠体保持脚。
【請求項９】
請求項８に記載の枠体保持脚であって、
前記第１プレートは、
前記開口縁係合部が前記開口縁突出部に係合した状態で前記第２縦分割筒体と前記第１縦分割筒体とが前記縦分割開口縁で接合する際の前記第２プレートの移動軌跡に沿った凸条をプレート上面に備え、
前記第２プレートは、
プレート下面に、前記凸条が入り込む凹条を前記移動軌跡に沿って備えると共に、前記第１プレートと重なる範囲において、前記第１プレートの厚みに相当する段差を有する
枠体保持脚。
【発明の詳細な説明】
【技術分野】
【０００１】
本発明は、パーテーションや安全柵等の枠体を床面に対して保持する枠体保持脚に関する。
【背景技術】
【０００２】
こうしたパーテーションや安全柵等の枠体は、例えば、工作機械と作業通路を区画したり、何らかの飛散物を遮蔽する衝立等として用いられる都合上、枠体を床面に対して保持する際の安定性が求められる。このため、枠体をその有する支柱の下端にて保持し、その保持に用いた部材をアンカーボルトで床面に固定することが通常行われている（例えば、特許文献１）。
【０００３】
【特許文献１】特開２０００−２０２０号公報
【発明の開示】
【発明が解決しようとする課題】
【０００４】
工作機械や作業通路の設置区域は不変ではなく、種々の都合で変更されるので、枠体にはレイアウト変更への対処も求められている。枠体のレイアウト変更には、脚を保持する部材の分解や再組み付けが伴うほか、レイアウト変更後の設置箇所による制約を受ける。こうした制約の一例を述べれば、横並びに配置した枠体の一方の側を、レイアウト変更の都合上、枠体の近傍においてまで他の部材を配設するスペースとして利用せざるを得ないことなどがある。上記の特許文献で提案された固定構造は、支柱の全周をフランジにて取り囲み、支柱の安定保持のためにはフランジをある程度大きくする必要があるので、フランジが大きくなる分、支柱周囲での部材配設スペースが制約される。また、分割された部材を両側でボルト等で固定する構造であるため煩雑となり、レイアウト変更への対処が十分とは言えなかった。
【０００５】
本発明は、上記した課題を踏まえ、パーテーションや安全柵等の枠体のレイアウト変更に対する枠体保持の自由度を高めることをその目的とする。
【課題を解決するための手段】
【０００６】
上記した目的の少なくとも一部を達成するために、本発明では、以下の構成を採用した。
【０００７】
[適用：枠体保持脚]
支柱を有する枠体を床面に対して保持する枠体保持脚であって、
前記支柱を包囲して支柱ホールドが可能な形状の筒状体を筒軸線に沿って縦割り分割した第１縦分割筒体と第２縦分割筒体と、
該第１縦分割筒体の一端側から前記筒軸線に交差するよう延在して前記第１縦分割筒体を保持すると共に、アンカーボルトの挿入用の挿入孔を備えて前記床面に接する第１プレートと、
前記第１縦分割筒体が前記縦分割開口縁の一方の側に有する開口縁部と、
前記第２縦分割筒体が前記開口縁部に対応する側の前記縦分割開口縁に有し、前記第１縦分割筒体の前記開口縁部と係合する開口縁係合部と、
該開口縁係合部が前記開口縁部に係合した状態で前記第１縦分割筒体と前記第２縦分割筒体の両縦分割筒体が前記縦分割開口縁の両開口縁で接合すると、該接合状態を保持するよう前記両縦分割筒体を固定する固定具とを備える
ことを要旨とする。
【０００８】
上記構成の枠体保持脚では、支柱を包囲して支柱ホールドが可能な形状の筒状体を筒軸線に沿って縦割り分割した第１縦分割筒体と第２縦分割筒体に加え、第１プレートを備える。第１プレートは、第１縦分割筒体の一端側から筒軸線に交差するよう延在して第１縦分割筒体を保持することから、枠体を床面に対して保持するに当たっては、第１縦分割筒体と一体の第１プレートと第２縦分割筒体とを取り扱うことになる。そして、枠体保持に際しては、第１プレートの第１縦分割筒体を、支柱の側方から当該支柱にセットし、支柱下端を第１縦分割筒体の内壁にて取り囲む。第２縦分割筒体は、後述するように支柱周囲の残りをその内壁にて取り囲む。この場合、第１、第２の両縦分割筒体は、支柱を包囲して支柱ホールドが可能な形状の筒状体を筒軸線に沿って縦割り分割したものであることから、支柱へのその周囲へのセット方向の自由度が高まる。
【０００９】
上記したように筒状体を縦割り分割した両縦分割筒体を形成する際、筒状体の形状は種々のものとできる。例えば、その包囲の対象となる支柱が多角形であれば、その形状に応じた多角形の筒状体を縦割りして両縦分割筒体とすれば、この両縦分割筒体にて多角形の支柱を包囲してホールドできる。支柱が円形であっても、多角形の筒状体を縦割りして両縦分割筒体の内周壁に円形の支柱を外接させつつ、両縦分割筒体にて多角形の支柱を包囲してホールドできる。また、両縦分割筒体を、支柱を包囲する径の円形の筒状体を縦方向に半割りした半円筒形をなすものとすれば、多角形の支柱にあってはその頂点を円筒の内周壁に外接させつつ、半円筒形の両縦分割筒体にて多角形の支柱をホールドでき、円形の支柱であればその周囲において円筒内周壁に接触させてホールドできる。多角形の支柱の頂点を円弧形状とすれば、当該円弧形状の範囲で多角形の支柱を円筒内周壁に接触させてホールドできる。そして、両縦分割筒体を上記した半円筒形をなすものとすれば、支柱周囲からの支柱へのセット方向の自由度がより高まり、支柱周囲のどの方向からも支柱に対してセットできる。
【００１０】
次に、第２縦分割筒体を、第１縦分割筒体にて取り囲まれていない側から支柱下端に近づけ、第１縦分割筒体の縦分割開口縁の一方の側から外側の開口縁突出部に第２反円筒体の開口縁係合部を係合させる。これにより、第２縦分割筒体にて、支柱下端を支柱周囲の残りに亘って取り囲むようにでき、支柱はその下端で第１縦分割筒体と第２縦分割筒体とで包囲されてホールドされる。こうした支柱包囲がなされた状況では、第２縦分割筒体と前記第１縦分割筒体とは縦分割開口縁で接合するので、この両縦分割筒体を固定具により固定する。こうすれば、第１縦分割筒体と第２縦分割筒体とは、支柱のその周囲に亘って包囲した状態で固定されることとなり、第１縦分割筒体から延在した第１プレートは、固定済みの第１、第２の両縦分割筒体とこの両縦分割筒体で包囲された支柱とを、床面に接していわゆる片持ち状態で支える。しかも、第１縦分割筒体と第２縦分割筒体との固定は、固定金具による固定だけで済む。
【００１１】
第１プレートの床面への固定に際しては、第１プレートが有するアンカーボルトの挿入孔にアンカーボルトを挿入し、当該ボルトの締め付けにより第１プレートは、支柱を片持ち保持する。この場合、支柱に対する第１縦分割筒体のセットの自由度は高いことから、第１プレートが両縦分割筒体と支柱とを片持ち保持する際の、支柱に対する位置の自由度は高まる。このため、第１プレートを、支柱を有する枠体の一方の側だけに位置させたり、枠体における横枠と重なるように位置させたりすることもできる。これらの結果、上記構成の枠体保持脚によれば、枠体のレイアウト変更に対する自由度を高めることができる。なお、支柱を片持ち状態で支えるが、アンカーボルトによる床面への固定がなされるため、支柱の保持、延いては枠体の保持には支障はない。
【００１２】
上記した枠体保持脚は、次のような態様とすることができる。例えば、第１プレートが有するアンカーボルトの挿入孔を、筒軸線に交差する方向を長手方向とする長孔とすることができる。こうすれば、長孔の形成範囲において、アンカーボルトの設置位置の自由度が高まる。しかも、支柱に対する第１縦分割筒体のセットの自由度は高いことから、アンカーボルトの設置位置の自由度については、長孔の形成範囲のみならず、筒軸線に交差する方向に沿った長孔を筒軸線回りに回転させて得られるドーナッツ領域にまで高めることができる。
【００１３】
また、第１縦分割筒体が有する開口縁部を前記縦分割開口縁から外側に延びた開口縁突出部として、該開口縁突出部に開口を備えものとした上で、第２縦分割筒体が有する開口縁係合部を前記対応する側の前記縦分割開口縁から外側に延びたものとし、前記開口縁係合部を前記開口に入り込ませて前記開口縁突出部に係合させるようにできる。こうすれば、第２縦分割筒体は、開口に入り込んで開口縁突出部に係合した開口縁係合部の係合箇所を中心に、支柱を取り囲むようドアスイングできるようになる。この結果、第２縦分割筒体を第１縦分割筒体にて取り囲まれていない側から支柱下端に近づける場合における第２縦分割筒体のセットの自由度が高まる。
【００１４】
そして、前記第１縦分割筒体における前記開口を前記縦分割開口縁に沿った複数箇所に備えるようにし、前記第２縦分割筒体においてもこれに合わせて前記開口縁係合部を備えるようにできる。こうすれば、複数箇所での係合により、第１縦分割筒体と第２縦分割筒体の係合強度が高まるので、両縦分割筒体での支柱包囲の信頼性も向上する。
【００１５】
更に、前記固定具をボルトとナットとし、前記第１縦分割筒体と前記第２縦分割筒体とを、両縦分割筒体の前記縦分割開口縁の他方の側からそれぞれ外側に延びた切欠においてボルト・ナットで固定するようにできる。こうすれば、切欠の解放側からのボルト装着ができるので、縦分割筒体の固定作業が簡便となる。
【００１６】
また、前記第１縦分割筒体と前記第２縦分割筒体の一方を、前記縦分割開口縁の他方の側に開口凹所を備えるものとし、前記第１縦分割筒体と前記第２縦分割筒体の他方を前記開口凹所に入り込む凸部を備えるものとできる。こうすれば、開口凹所への凸部の入り込みにより、両縦分割筒体の軸方向のズレを抑制できる。
【００１７】
加えて、前記第２縦分割筒体の一端側から前記筒軸線に交差するよう延在して前記第２縦分割筒体を保持する第２プレートを備えるものとし、前記開口縁係合部が前記開口縁突出部に係合した状態で前記第２縦分割筒体と前記第１縦分割筒体とが前記縦分割開口縁で接合すると、第２プレートが前記第１プレートの上に重なってアンカーボルトの挿入孔同士も重なるようにできる。こうすれば、第２縦分割筒体にあっても、第２プレートで保持されるので、支柱包囲の確実性が高まる。つまりは、支柱保持を介した枠体保持の信頼性も向上する。
【００１８】
また、前記第１プレートのプレート上面に、前記開口縁係合部が前記開口縁突出部に係合した状態で前記第２縦分割筒体と前記第１縦分割筒体とが前記縦分割開口縁で接合する際の前記第２プレートの移動軌跡に沿った凸条を設け、前記第２プレートのプレート下面に、前記凸条が入り込む凹条を前記移動軌跡に沿って備えるようにできる。こうすれば、凸条と凹条との係合により、第１プレートと第２プレートのズレを抑制できる。また、この凸条と凹条は第２プレートの移動軌跡に沿った軌跡であると共に、第２プレートは第１プレートと重なる範囲において第１プレートとの厚みに相当する段差を有することから、第２プレートを第１プレートの上に重なるよう移動するだけで凸条と凹条との係合が起きる。よって、凸条と凹条との係合に際して、第２プレートを持ち上げたりする必要がないので、作業性も高まる。
【発明を実施するための最良の形態】
【００１９】
以下、本発明の実施の形態を実施例に基づいて説明する。図１は本発明の実施例としての枠体保持脚２００により安全柵１００を支えた様子を示す概略斜視図である。図示するように、安全柵１００は、複数のパーテーション１０を横並びした上でＬ字状に連結され、パーテーション１０の左右の支柱アッシーＳの下端にて枠体保持脚２００により片持ち保持されている。なお、この図１においては、枠体保持脚２００は、パーテーション１０の並びの片側に突出して片持ち保持したり、パーテーション１０の並びに沿って片持ち保持している様子を混在して示しているが、パーテーション並びから突出した片持ち保持と、パーテーション並びに沿った片持ち保持とのいずれか一方とすることもできる。こうした点については、後述する。
【００２０】
枠体保持脚２００の説明に先立ち、その保持の対象となるパーテーション１０についてまず説明する。図２は安全柵１００を構成するパーテーション１０を分解して示す説明図、図３は図２における３−３線での縦断面図である。
【００２１】
図１に示すように、安全柵１００は、複数のパーテーション１０を横並びした上でＬ字状をなし、それぞれのパーテーションは、アクリル等の透明樹脂を用いて窓として機能する上部パネル１１Ｕと下部パネル１１Ｄを区画して取り囲み、後述の枠体保持脚２００により自立している。なお、安全柵１００をパーテーション１０を横並びしただけの構成とすることもできる他、上部パネル１１Ｕと下部パネル１１Ｄの一方或いは両方を不透明とした態様のパーテーション１０や、上下のパネル一方或いは両方を樹脂以外のパネル材としたり金網としたりした態様のパーテーション１０、一枚のパネルを取り囲む態様のパーテーション１０等、種々の態様することもできる。安全柵１００におけるパーテーション１０のレイアウトについても種々の態様とすることができ、Ｌ字状のレイアウトの他、Ｔ字状のレイアウトや、一方が開口したコの字状のレイアウト、所定床面積を取り囲んだロの字状のレイアウト等とすることができる。パーテーション１０をロの字状にレイアウトする場合には、一つのパーテーション１０における上下パネルを、開閉ドアとドアを取り囲むドアフレームに代え、このドアフレームをその左右・上下で取り囲むようにすればよい。
【００２２】
図２に示すように、パーテーション１０は、上下の上部パネル１１Ｕと下部パネル１１Ｄを取り囲むべく、両パネルの一方側に位置する第１縦フレーム２０と他方側に位置する第２縦フレーム４０とを対向させ、この両縦フレームの間に横フレーム６０を掛け渡している。横フレーム６０は、上部パネル１１Ｕの上端と、上下パネルの間と下部パネル１１Ｄの下端の３箇所に配設されている。
【００２３】
横フレーム６０は、アルミを用いた長尺の型押出成型品であり、その長さ寸法は、上記の両パネルの横方向寸法より若干短くされている。そして、この横フレーム６０は、図３に示すように、左右の側壁材６１と中央のコア部６２とを備え、コア部６２から４方に延びたブリッジ６３により側壁材６１を保持し、左右の側壁材６１の湾曲端部にて、スリット６４を形成している。このスリット６４は、上部パネル１１Ｕおよび下部パネル１１Ｄが支障なく入り込むように開口している。コア部６２には、開口した雌ネジ６５が形成されているので、この雌ネジ６５に図２の雄ネジ６７をねじ込むことで、横フレーム６０は、その端面を当接させて第１縦フレーム２０と第２縦フレーム４０に固定される。
【００２４】
第１縦フレーム２０と第２縦フレーム４０にあっても、横フレーム６０と同様、アルミを用いた長尺の型押出成型品であり、その長さ寸法は、パーテーション１０の縦寸法とされている。対向する上記の両フレームのそれぞれは、上下方向に上部パネル１１Ｕと下部パネル１１Ｄが入り込むパネル挿入凹条２１ａとパネル挿入凹条４１ａとを備えるので、これら凹条にパネル端部を入り込ませることで、横フレーム６０と協働してパネルをその周囲で保持する。
【００２５】
図２に示すパーテーション１０が安全柵１００の構成単位であり、これを横並びすることで安全柵１００となる。パーテーションの横並び連結は、あるパーテーション１０における第１縦フレーム２０がパネル挿入凹条２１ａの反対側に有する開口凹条２３に、横並び対象となるパーテーション１０における第２縦フレーム４０が有する縦方向凸条４２を入り込ませることでなされる。パーテーションのＬ字状の連結も同様であり、Ｌ字状の連結箇所のパーテーション１０における第１縦フレーム２０が側面に有する側面凹条３２に、Ｌ字連結の対象となるパーテーション１０における第２縦フレーム４０と同様の縦フレーム（図視略）が有する縦方向凸条を入り込ませることでなされる。図４はパーテーション１０の横並び連結箇所をその上部と下部について斜視にて示す説明図である。
【００２６】
図４に示すように、パーテーション１０の横並び箇所では、第１縦フレーム２０と第２縦フレーム４０とは、上記した凹条への凸条の入り込みにより一体となり、横並び連結したパーテーション１０の左右の支柱アッシーＳを構成する。そして、この左右の支柱アッシーＳに、横フレーム６０が横架されることになる。支柱アッシーＳは、後述する枠体保持脚２００にて支柱下端側で保持され、上端側では、フレームキャップ７０にて取り囲まれる。フレームキャップ７０は、Ｔ溝状の側面凹条３２にセットされる図示しないＴナットとボルト６８を用いて支柱アッシーＳに固定されるので、支柱アッシーＳは、その上端においてはフレームキャップ７０にて取り囲まれて一体となる。Ｌ字状の連結箇所においても同様である。支柱アッシーＳの下端側での取り囲みと一体化は、後述の枠体保持脚２００にてなされるが、枠体保持脚２００は、半割りした筒状体で支柱アッシーＳを取り囲むことから、この筒状体の内周壁に沿うよう、第１縦フレーム２０と第２縦フレーム４０のコーナー部位は、筒状体内径に合わせた湾曲面とされている。なお、このコーナー部位を平面とすることもできる。
【００２７】
次に、枠体保持脚２００について説明する。図５は枠体保持脚２００を分解して示す分解斜視図、図６は図５における矢印Ａ方向から見た枠体保持脚２００の分解斜視図、図７は図５における７−７線で断面視した断面端面図、図８は図５における８−８線で断面視した断面端面図、図９は図５における９−９線で断面視した断面端面図である。
【００２８】
図５に示すように、枠体保持脚２００は、第１パーツ２１０と第２パーツ２５０とを備え、両パーツを六角穴付きのボルト２０２と平座金２０４および駒状のナット２０６にて固定して構成される。第１パーツ２１０は、第１半円筒体２１２と第１プレート２１４とを備え、第２パーツ２５０にあっては、第２半円筒体２５２と第２プレート２５４とを備える。本実施例では、パーテーション１０の保持の確実性を高めるため、上記の両半円筒体および両プレートを金属製とし、第１パーツ２１０および第２パーツ２５０を、半円筒体とプレートとの溶接、或いは、多工程に亘る曲げプレスや深絞りプレス等のプレス工程を経て形成することとした。
【００２９】
第１パーツ２１０および第２パーツ２５０の第１半円筒体２１２と第２半円筒体２５２は、筒状体を筒軸線に沿って半割りした半円筒形をなし、後述するように半割り開口縁で接合すると、筒状体をなす。この場合、筒状体は、支柱アッシーＳを既述した湾曲面のコーナー部位が筒状体の内壁に接する内径とされていることから、第１半円筒体２１２と第２半円筒体２５２は、上記接合を経て、支柱アッシーＳを包囲することになる。
【００３０】
第１パーツ２１０の第１半円筒体２１２は、その半割り開口縁の一方の側に、開口縁突出部２２６を備える。この開口縁突出部２２６は、第１半円筒体２１２の半割り開口縁から円筒体径方向に沿って外側に延び、図６に示すように、上下に開口２２８を有する。この開口２２８は、第１半円筒体２１２と開口縁突出部２２６の連設箇所に形成されており、後述の第２パーツ２５０が有する開口縁係合部２５６の入り込みを許容する。また、第１半円筒体２１２は、半割り開口縁の他方の側に、固定用突出部２３０と凸部２３２とを有する。固定用突出部２３０は、半円筒体上端から円筒体径方向に沿って外側に延びた舌片状をなし、Ｕ字状の切欠２３４を備える。凸部２３２は、固定用突出部２３０の下方側にＵ字状の切欠２３６を隔てて形成され、第１半円筒体２１２の半割り開口縁から半円筒体周壁が凸に延長した上で、先端が外側に湾曲するようにされている。
【００３１】
上記した第１半円筒体２１２を有する第１パーツ２１０は、図５に示すように、第１プレート２１４を第１半円筒体２１２の下端から図中の筒軸線ＴＪに交差するよう延在して、第１半円筒体２１２と第１プレート２１４を一体としている。これにより、第１半円筒体２１２は、その下端において、第１プレート２１４により保持される。第１プレート２１４は、アンカーボルトの挿入用の長孔２１６を第１半円筒体２１２における筒軸線ＴＪに交差する方向に沿って備え、プレート延在方向における一端側に、補強用のリブ２１８を有する。リブ２１８は、第１半円筒体２１２の側においては、当該半円筒体を取り囲むよう湾曲している。また、第１プレート２１４は、第１半円筒体２１２の外周壁からプレート上面、詳しくは、リブ２１８の立設箇所まで延びる立体状リブ２２０を有するので、この立体状リブ２２０にて強固に第１半円筒体２１２を保持する。この他、第１プレート２１４は、第１半円筒体２１２の反対側に、後述のカバーの位置決め・装着用のフック２２２と、凸条２２４とを備える。フック２２２は、プレート端部周縁から屈曲形成され、凸条２２４は、プレート上面から凸であり、湾曲軌跡とされている。凸条２２４の湾曲軌跡については後述する。
【００３２】
上記した第１プレート２１４は、図７に示すように、第１半円筒体２１２の下端から延在しており、プレート下面は、第１半円筒体２１２の下端面と面一とされている。よって、第１パーツ２１０は、第１プレート２１４をプレート下面で床面に接するようにしてアンカーボルトにて後述するように固定されると、第１半円筒体２１２を、その半円筒体下端で床面に接した上で、第１プレート２１４にて保持する。
【００３３】
第２パーツ２５０の第２半円筒体２５２は、図５および図６に示すように、その半割り開口縁の一方の側に、開口縁係合部２５６を上下に備える。この開口縁係合部２５６は、第２半円筒体２５２の半割り開口縁から円筒体径方向に沿って外側に延びる。この場合、第１半円筒体２１２と第２半円筒体２５２とが共にその下端を床面に接した状態において、第２半円筒体２５２の上下の開口縁係合部２５６は、第１半円筒体２１２の開口縁突出部２２６における上下の開口２２８に入り込む位置に形成されている。また、第２半円筒体２５２は、半割り開口縁の他方の側に、固定用突出部２５８と開口凹所２６０とを有する。固定用突出部２５８は、半円筒体上端から円筒体径方向に沿って外側に延びた舌片状をなし、Ｕ字状の切欠２６２を備える。この場合、第２半円筒体２５２の固定用突出部２５８と切欠２６２は、第１半円筒体２１２と第２半円筒体２５２とがその半割り開口縁で接合すると、第１半円筒体２１２の凸部２３２と切欠２３４に向き合うことになる。開口凹所２６０は、固定用突出部２５８の下方側にＵ字状の切欠２６４を隔てて位置し、第２半円筒体２５２の半割り開口縁を凹状に切り欠くよう形成されている。そして、この開口凹所２６０には、第１半円筒体２１２と第２半円筒体２５２とがその半割り開口縁で接合した場合において、第１半円筒体２１２の凸部２３２が入り込み、凸部２３２は、湾曲した先端部を第２半円筒体２５２の外周壁から外側に突出させる。
【００３４】
上記した第２半円筒体２５２を有する第２パーツ２５０は、図５に示すように、第２プレート２５４を第２半円筒体２５２の下端から図中の筒軸線ＴＪに交差するよう延在して、第２半円筒体２５２と第２プレート２５４を一体としている。これにより、第２半円筒体２５２は、その下端において、第２プレート２５４により保持される。第２プレート２５４は、アンカーボルトの挿入用の長孔２６６を第２半円筒体２５２における筒軸線ＴＪに交差する方向に沿って備え、プレート延在方向における一端側に、補強用のリブ２６８を有する。この第２プレート２５４にあっては、第２半円筒体２５２を取り囲んでその下端に一体となる半円筒体周囲プレート部２５４Ｓと、長孔２６６を有する部位であって後述するように第１パーツ２１０の第１プレート２１４と重なる平板部２５４Ｐとに分けられている。そして、リブ２６８は、半円筒体周囲プレート部２５４Ｓから平板部２５４Ｐに到るまで形成されており、半円筒体周囲プレート部２５４Ｓの側においては、第２半円筒体２５２を取り囲むよう湾曲している。長孔２６６は、第１パーツ２１０における第１プレート２１４の長孔２１６と同形状であり、第２プレート２５４がその平板部２５４Ｐにおいて第１パーツ２１０の第１プレート２１４の上に重なると、長孔２１６と重なる。
【００３５】
また、第２プレート２５４は、平板部２５４Ｐの側に、プレート下面側で凹の凹条２７０と、二筋の凸条２７２と、湾曲リブ２７４とを備える。凹条２７０は、第１パーツ２１０の第１プレート２１４における凸条２２４の凸形状に対応した凹形状であり、凸条２２４の湾曲軌跡と同様に湾曲している。よって、第２プレート２５４がその平板部２５４Ｐにおいて第１パーツ２１０の第１プレート２１４の上に重なると、凹条２７０は、凸条２２４をその軌跡において覆うことになる。つまり、凸条２２４は、凹条２７０に入り込むことになる。凸条・凹条の湾曲軌跡と、凹条への凸条の入り込みについては後述する。
【００３６】
二筋の凸条２７２は、一方は湾曲リブ２７４の周壁から、他方はリブ２６８の周壁から、凹条２７０の凸の膨らみまで伸び、図９に示すようにプレートと上面側に凸とされている。よって、この凸条２７２は、平板部２５４Ｐの補強リブとして機能する。湾曲リブ２７４は、第２半円筒体２５２の下端側外周から径方向に膨らむようにして湾曲形成され、平板部２５４Ｐのリブ２６８と反対側端面まで形成されている。この場合、湾曲リブ２７４は、第２半円筒体２５２の半径より大きい径で湾曲形成され、第２プレート２５４がその平板部２５４Ｐにおいて第１パーツ２１０の第１プレート２１４の上に重なると、第１パーツ２１０の第１半円筒体２１２をその下端で取り囲み、立体状リブ２２０とは干渉しないようにされている。
【００３７】
上記した第２プレート２５４は、図８に示すように、半円筒体周囲プレート部２５４Ｓを第２半円筒体２５２の下端から延在させ、平板部２５４Ｐにおいては、半円筒体周囲プレート部２５４Ｓのプレート下面から段差Ｄを持たせて第２半円筒体２５２の下端から、延いては半円筒体周囲プレート部２５４Ｓから延在させている。この段差Ｄは、第２プレート２５４の平板部２５４Ｐが第１パーツ２１０の第１プレート２１４の上に重なることを考慮して定めてあり、第１プレート２１４の厚みに相当する段差とされている。よって、上記したようにプレートが重なった状態において、第２半円筒体２５２の下端から延在した半円筒体周囲プレート部２５４Ｓは、第１半円筒体２１２の下端から延在した第１プレート２１４と同様、床面に接することになる。
【００３８】
次に、上記構成を有する枠体保持脚２００の組み付け状態について説明する。図１０は枠体保持脚２００の組み付け状態をパーテーション１０の支柱アッシーＳを並記して平面視して示す説明図、図１１は支柱アッシーＳに対して枠体保持脚２００の取り得る位置関係を示す説明図である。
【００３９】
図１０に示すように、枠体保持脚２００の組み付け状態において、第１半円筒体２１２と第２半円筒体２５２は、それぞれの半割り開口縁を接合させて筒状体を形成し、当該筒状体にて支柱アッシーＳを包囲する。この場合、既述したように、支柱アッシーＳのコーナー部位は、湾曲形成されていることから、その湾曲面に亘って、第１半円筒体２１２と第２半円筒体２５２の内周壁に接することになる。また、第２パーツ２５０の第２プレート２５４、詳しくは平板部２５４Ｐは、第１パーツ２１０の第１プレート２１４に重なり、第２プレート２５４の長孔２６６と第１プレート２１４の長孔２１６も重なる。平板部２５４Ｐのリブ２６８と反対側の端面は、第１プレート２１４のリブ２１８の周壁に接する。
【００４０】
第１半円筒体２１２と第２半円筒体２５２との位置関係では、半割り開口縁の一方の側では、第２半円筒体２５２の開口縁係合部２５６は、第１半円筒体２１２の開口２２８に入り込んで開口縁突出部２２６と係合する。半割り開口縁の他方の側では、第１半円筒体２１２の固定用突出部２３０および切欠２３４は、第２半円筒体２５２の固定用突出部２５８および切欠２６２と対向する。そして、両切欠にネジ軸を入り込ませたボルト２０２と平座金２０４およびナット２０６にて、第１半円筒体２１２と第２半円筒体２５２とは、両固定用突出部を介してネジ締め固定されている。また、この半割り開口縁の他方の側では、第１半円筒体２１２の凸部２３２は、第２半円筒体２５２の開口凹所２６０に入り込むが、この点については後述する。
【００４１】
枠体保持脚２００の上記した組み付け状態に到る前において、第１パーツ２１０は、その有する第１半円筒体２１２を支柱アッシーＳに対して支柱周囲のどの方向からも当該支柱アッシーをその半分に亘って覆うことができる。つまり、図１０では、第１パーツ２１０は、支柱アッシーＳに横架される横フレーム６０に対して第１プレート２１４およびその長孔２１６が直交するよう、第１半円筒体２１２にて支柱アッシーＳを覆っているが、横フレーム６０に対する第１プレート２１４と長孔２１６の位置関係は支柱アッシーＳの周囲において任意である。つまり、図１１に示すように、枠体保持脚２００は、支柱アッシーＳに横架される横フレーム６０に対して、支柱アッシーＳの周囲のどの位置においても支柱アッシーＳを第１半円筒体２１２と第２半円筒体２５２とで包囲できることから、重なった長孔２１６と長孔２６６の取り得る範囲は、両半円筒体の筒軸線ＴＪを中心に上記長孔を長手方向が半径となるよう回転させて得られるドーナッツ領域となる。
【００４２】
次に、上記構成を有する枠体保持脚２００によるパーテーション１０の保持の様子について説明する。図１２は枠体保持脚２００の組み付けの様子を第１半円筒体２１２の側から示す斜視図、図１３は枠体保持脚２００の組み付けの様子を第１プレート２１４の側から示す斜視図、図１４は枠体保持脚２００を組み付ける際の第２パーツ２５０の移動の様子を説明する説明図、図１５は枠体保持脚２００による支柱アッシーＳの保持完了の様子を示す説明図、図１６はカバーを装着した支柱アッシーＳの保持の様子を示す説明図である。
【００４３】
枠体保持脚２００を組み付けるに当たっては、まず、図１２に示すように、第１パーツ２１０の第１半円筒体２１２を支柱アッシーＳに押し当て、支柱アッシーＳの半周分を第１半円筒体２１２にて覆う。この際、第１プレート２１４は、そのプレートと下面全域において、床面に接している。なお、以下の説明に際しては、枠体保持脚２００は、支柱アッシーＳに横架される横フレーム６０に対して第１プレート２１４およびこれに重なった第２プレート２５４が直交するよう、支柱アッシーＳを保持すると仮定して説明する。
【００４４】
第１半円筒体２１２の押し当てに続いては、或いは、その前後において、第１半円筒体２１２の開口縁突出部２２６における上下の開口２２８に、第２パーツ２５０の第２半円筒体２５２が有する開口縁係合部２５６を入り込ませる。これにより、第１半円筒体２１２と第２半円筒体２５２、延いては、第１パーツ２１０と第２パーツ２５０は、開口縁突出部２２６と開口縁係合部２５６とで係合する。この状態では、図１２や図１３に示すように、第１半円筒体２１２と第２半円筒体２５２は、その半割り開口縁で接合してはおらず、第２プレート２５４の半円筒体周囲プレート部２５４Ｓにあっては、床面に接している。
【００４５】
上記した係合に続いては、図１４に示すように、第２パーツ２５０を、開口縁突出部２２６に対する開口縁係合部２５６の係合箇所を中心にドアスイングするよう回転移動させる。この第２パーツ２５０の移動動作は、回転動作であることから、平板部２５４Ｐは回転軌跡に沿って移動する。こうした観点から、第１パーツ２１０における第１プレート２１４の凸条２２４と第２パーツ２５０における第２プレート２５４（詳しくは平板部２５４Ｐ）の凹条２７０とは、上記した回転軌跡に沿って軌跡で形成されている。
【００４６】
第２パーツ２５０を上記のように回転移動させると、平板部２５４Ｐは、リブ２６８と反対側のプレート端部から第１パーツ２１０の第１プレート２１４に重なる。平板部２５４Ｐは第１プレート２１４の厚みに相当する段差Ｄだけ床面から離れていることから、第１プレート２１４と平板部２５４Ｐの重なりは支障なく開始される。第２パーツ２５０の回転移動が更に進むと、平板部２５４Ｐの重なり範囲は広がり、上記プレート端部における凹条２７０は、第１プレート２１４の凸条２２４の手前に位置する。既述したように、凹条２７０は凸条２２４が入り込む形状であり、この凹条２７０と凸条２２４は第２パーツ２５０の回転軌跡に沿った軌跡であることから、平板部２５４Ｐは、その凹条２７０に凸条２２４を入り込ませた状態で、上記プレート端部がリブ２１８の壁面に接するまで、第１プレート２１４と重なる。この際、第２プレート２５４を持ち上げるような動作は要しない。ここまでの第２パーツ２５０の回転移動が完了すると、図１０や図１５に示すように、枠体保持脚２００は、第１半円筒体２１２と第２半円筒体２５２とをその半割り開口縁で接合させた上で、対向する固定用突出部２３０と固定用突出部２５８のボルト２０２等による締め付け固定を経て、支柱アッシーＳを包囲する。このように支柱アッシーＳを包囲する上記両半円筒体は、それぞれの第１プレート２１４と第２プレート２５４により半円筒体の下端で一体となって支えられていることから、支柱アッシーＳは、枠体保持脚２００により片持ち保持されることになる。
【００４７】
そして、この支柱アッシーＳの保持を継続すべく、重なり合った長孔２６６と長孔２１６に、アンカー座金ＡＺを介在させてアンカーボルトＡＢを差し込み、当該ボルトを床面に埋設設置したアンカーナットＡＮに締め付けて、上記両プレートを床に固定する。アンカーナットＡＮの埋設穴の形成と当該ナットの埋設設置は、当該ナットの外径が長孔２１６や長孔２６６の幅よりも大きいため、通常、枠体保持脚２００による支柱保持に先立ち行われる。このため、図１３に示すように第１パーツ２１０を支柱アッシーＳに対してセットする際、第１プレート２１４の長孔２１６がアンカーナットＡＮのボルト穴に重なるようにすればよい。なお、アンカーナットＡＮの外径が長孔２１６や長孔２６６の幅よりも小さい場合には、枠体保持脚２００による支柱アッシーＳの片持ち保持後において、いわゆる現号合わせでアンカーナットＡＮの埋設穴の形成と当該ナットの埋設設置とを行うようにできる。
【００４８】
アンカーボルトＡＢによるプレート固定後には、図１６に示すように、フロントカバー２９０を、その前端の係合用切欠２９１が第１プレート２１４のフック２２２に係合するよう設置して上記のプレート領域を覆う。この場合、既述したように第１半円筒体２１２の凸部２３２は、第２半円筒体２５２の開口凹所２６０に入り込んだ上で、先端側を外側に湾曲して突出させている。よって、フロントカバー２９０は、この凸部２３２の先端にてカバー上部後端側を押さえつけられるので、フロントカバー２９０を容易に固定できる。次いで、リアカバー２９５を接合し合った第１半円筒体２１２と第２半円筒体２５２の下端側に装着する。リアカバー２９５は、フロントカバー２９０の後端側で係合して当該端部を覆う係合部２９６を有するので、不用意にフロントカバー２９０から外れるようなことはない。
【００４９】
以上説明した本実施例の枠体保持脚２００では、パーテーション１０をその左右の支柱アッシーＳを介して保持するに当たり、支柱アッシーＳを包囲する径の筒状体を筒軸線に沿って半割りした第１半円筒体２１２と第２半円筒体２５２を有する第１パーツ２１０と第２パーツ２５０を用いた。そして、支柱アッシーＳに対してその半周を覆うよう第１パーツ２１０の第１半円筒体２１２をセットし、この第１半円筒体２１２が有する開口縁突出部２２６に、その開口２２８への開口縁係合部２５６の入り込みを経て、第２半円筒体２５２の開口縁係合部２５６を係合させた（図１２〜図１３参照）。この係合後には、当該係合箇所を中心に第２半円筒体２５２および第２パーツ２５０全体を回転移動させた（図１４参照）。この回転移動により、第１半円筒体２１２は第２半円筒体２５２とその半割り開口縁で接合（図１０、図１５参照）した上で、両半円筒体が有する固定用突出部２３０と固定用突出部２５８は対向（図１０、図１５参照）し、切欠２３４と切欠２６２も対向（図１０、図１５参照）するので、両切欠にセットしたボルト２０２にて両半円筒体を固定した。これにより、支柱アッシーＳを両半円筒体にて包囲でき、この包囲に際しては、両半円筒体の一方の半割り開口縁の一方側の両固定用突出部でのボルト２０２による固定だけで済む。
【００５０】
また、第２パーツ２５０の回転移動により、第１プレート２１４と第２プレート２５４との重ね合わせ（図１０、図１５参照）や、長孔２１６と長孔２６６との重ね合わせ（図１０、図１５参照）、第２半円筒体２５２の開口凹所２６０への第１半円筒体２１２の凸部２３２の入り込み（図１５参照）、および第２プレート２５４の凹条２７０への第１プレート２１４の凸条２２４の入り込み（図１０、図１５参照）とを起こし、その上で、重なり合ったプレートをアンカーボルトＡＢにて床面に固定した。第１プレート２１４と第２プレート２５４とは、それぞれ上記の半円筒体とその下端で一体となっていることから、枠体保持脚２００は、アンカーボルトＡＢによる両プレートの床面固定により、上記固定状態にある両半円筒体で包囲した支柱アッシーＳを片持ち保持し、これにより、パーテーション１０についても保持する。
【００５１】
こうした支柱アッシーＳの片持ち保持に際し、本実施例の枠体保持脚２００では、第１パーツ２１０における第１半円筒体２１２を、支柱アッシーＳの周囲のどの方向からも支柱に対してセットできる。このため、枠体保持脚２００により支柱アッシーＳを片持ち保持する第１プレート２１４や第２プレート２５４は、支柱アッシーＳの周囲のどの方向でも取り得ることになり、プレート設置の位置の自由度は高まる。加えて、アンカーボルトＡＢによる固定用の長孔２１６と長孔２６６とを、それぞれのプレートにおいて上記両半円筒体の筒軸線ＴＪに交差する方向に沿って備えることとした。よって、図１１に示すように、アンカーボルトの設置位置の自由度は、上記の長孔自体の形成範囲の他、長孔を筒軸線ＴＪの回りに回転させて得られるドーナッツ領域にまで高めることができる。これらの結果、本実施例の枠体保持脚２００によれば、上記重なったプレートを、横並び状態にあるパーテーション１０の一方の側だけに位置させたり、パーテーション１０における横フレーム６０と重なるように位置させたりすることもできる、パーテーション１０のレイアウト変更に対するパーテーション１０の保持の自由度を高めることができる。また、アンカーボルトの設置自由度が上記したようにドーナッツ領域まで高まること、および横フレーム６０に対するプレートの位置の自由度が高まることで、床面へのアンカーナットＡＮの埋設穴形成は、枠体保持脚２００による安全柵１００の保持前はもとより、枠体保持脚２００による安全柵１００の保持後においても可能となり、床面へのアンカーナットＡＮの埋設穴の形成の自由度も高まる。
【００５２】
また、本実施例の枠体保持脚２００では、第１パーツ２１０の第１半円筒体２１２への第２パーツ２５０の第２半円筒体２５２の接合を、開口２２８への開口縁係合部２５６の係合と、その係合箇所を中心にした第２パーツ２５０のドアスイング状の回転移動を行えば済み、簡便である。加えて、支柱アッシーＳが第１半円筒体２１２にて取り囲まれていない側から第２パーツ２５０を支柱アッシーＳに近づける場合における第２半円筒体２５２のセット方向の自由度も高まる。
【００５３】
また、第１半円筒体２１２と第２半円筒体２５２との係合を、開口縁突出部２２６における上下の開口２２８に対して、それぞれ開口縁係合部２５６を入り込ませて係合する。よって、２箇所での係合により、両半円筒体の係合強度が高まり、両半円筒体による支柱アッシーＳの包囲の信頼性も向上する。
【００５４】
更に、第１半円筒体２１２と第２半円筒体２５２との固定に際しては、ボルト２０２を両半円筒体の切欠にセットした上で、ボルト２０２をナット２０６に締め付ければ済む。つまり、切欠の解放側からのボルト装着ができるので、両半円筒体の固定作業が簡便となる。
【００５５】
また、第１半円筒体２１２と第２半円筒体２５２とが半割り開口縁で接合する際に、第２半円筒体２５２の開口凹所２６０に第１半円筒体２１２の凸部２３２が入り込むようにした。よって、第１半円筒体２１２と第２半円筒体２５２との筒軸線ＴＪに沿ったズレを抑制できるので、支柱アッシーＳの包囲の信頼性が高まる。しかも、凸部２３２をその先端が外側に湾曲させたものとして、フロントカバー２９０の押さえとしたので、カバー固定のための構造が簡略となる。
【００５６】
加えて、第１パーツ２１０の第１プレート２１４には、そのプレート上面に凸条２２４を設け、第２パーツ２５０の第２プレート２５４における平板部２５４Ｐには、凸条２２４が入り込むことができる形状の凹条２７０をプレート下面に設けた。このため、凹条２７０への凸条２２４の入り込みによる係合により、第１プレート２１４と第２プレート２５４のズレを抑制できる。また、凸条２２４と凹条２７０とを、第２パーツ２５０がドアスイング状に回転移動する際の移動軌跡に沿って設けると共に、平板部２５４Ｐに第１プレート２１４の厚みに相当する段差Ｄを持たせたので、第２パーツ２５０をドアスイング状に回転移動させるだけで、凹条２７０への凸条２２４の入り込みによる係合を起こすことができる。よって、凹条２７０と凸条２２４との係合に際して、平板部２５４Ｐを持ち上げたりする必要がないので、作業性も高まる。
【００５７】
以上、本発明の実施の形態を実施例にて説明したが、本発明は上記した実施例や変形例の実施形態に限られるものではなく、その要旨を逸脱しない範囲において種々の態様にて実施することが可能である。例えば、上記の実施例では、第２パーツ２５０を、第２半円筒体２５２と下端で接合した半円筒体周囲プレート部２５４Ｓと、これに続く平板部２５４Ｐとを有するものとしたが、第２半円筒体２５２のみを有する形態や、第２半円筒体２５２と半円筒体周囲プレート部２５４Ｓとを接合させただけの形態とすることもできる。
【００５８】
また、第１パーツ２１０と第２パーツ２５０を金属製としたが、これらパーツを、金属短繊維をフィラーとして含有する高強度のいわゆるエンジニアリングプラスチックの複合材から形成することもでき、この場合には射出成型等にて形成すればよい。なお、上記第１、第２のパーツの材質は、特段の制約を受けず、支柱保持に適った強度等の使用上の条件を満たせば良い。
【００５９】
また、本実施例では、保持の対象を第１縦フレーム２０と第２縦フレーム４０の接合で得られた支柱アッシーＳとしたが、円柱や角柱状の単一の支柱を第１半円筒体２１２と第２半円筒体２５２で包囲して保持するようにすることもできる。
【００６０】
加えて、本実施例では、第１半円筒体２１２と第２半円筒体２５２とを固定するに当たり、両半円筒体の固定用突出部２３０と固定用突出部２５８に外側から設けた切欠２３４と切欠２６２にボルト２０２をセットして用いたが、この両切欠は、上記吐出部の上方側に設けた切欠とすることもできる。この他、両切欠を貫通孔に代え、貫通孔にボルト２０２を挿入して固定する形態や、一方の突出部にナットを溶接する形態とすることもできる。この他、上記の固定用突出部を用いず、スチールバンド等を用いた結束具にて、接合済みの第１半円筒体２１２と第２半円筒体２５２とを固定するようにしたり、接合済みの両半円筒体をリングとフックを用いたいわゆるバックル機構を用いて固定するようにすることもできる。
【００６１】
更に、本実施例では、支柱アッシーＳを包囲するに当たり、円形の筒状体をその軸線に沿って半割りした第１半円筒体２１２と第２半円筒体２５２とを用いたが、六角柱、四角柱等の多角形の筒状体をその筒軸線に沿って縦割り分割した第１、第２の縦分割筒体とすることもできる。こうした縦分割筒体を用いる場合には、既述したように、多角形の支柱に合わせて当該支柱を包囲できるほか、円柱状の支柱であれば、両縦分割筒体の内周壁に円形の支柱を外接させつつ、当該支柱を包囲してホールドできる。
【図面の簡単な説明】
【００６２】
【図１】本発明の実施例としての枠体保持脚２００により安全柵１００を支えた様子を示す概略斜視図である。
【図２】安全柵１００を構成するパーテーション１０を分解して示す説明図である。
【図３】図２における３−３線での縦断面図である。
【図４】パーテーション１０の横並び連結箇所をその上部と下部について斜視にて示す説明図である。
【図５】枠体保持脚２００を分解して示す分解斜視図である。
【図６】図５における矢印Ａ方向から見た枠体保持脚２００の分解斜視図である。
【図７】図５における７−７線で断面視した断面端面図である。
【図８】図５における８−８線で断面視した断面端面図である。
【図９】図５における９−９線で断面視した断面端面図である。
【図１０】枠体保持脚２００の組み付け状態をパーテーション１０の支柱アッシーＳを並記して平面視して示す説明図である。
【図１１】支柱アッシーＳに対して枠体保持脚２００の取り得る位置関係を示す説明図である。
【図１２】枠体保持脚２００の組み付けの様子を第１半円筒体２１２の側から示す斜視図である。
【図１３】枠体保持脚２００の組み付けの様子を第１プレート２１４の側から示す斜視図である。
【図１４】枠体保持脚２００を組み付ける際の第２パーツ２５０の移動の様子を説明する説明図である。
【図１５】枠体保持脚２００による支柱アッシーＳの保持完了の様子を示す説明図である。
【図１６】カバーを装着した支柱アッシーＳの保持の様子を示す説明図である。
【符号の説明】
【００６３】
１０...パーテーション
１１Ｄ...下部パネル
１１Ｕ...上部パネル
２０...第１縦フレーム
２１ａ...パネル挿入凹条
２３...開口凹条
３２...側面凹条
４０...第２縦フレーム
４１ａ...パネル挿入凹条
４２...縦方向凸条
６０...横フレーム
６１...側壁材
６２...コア部
６３...ブリッジ
６４...スリット
６５...雌ネジ
６７...雄ネジ
６８...ボルト
７０...フレームキャップ
１００...安全柵
２００...枠体保持脚
２０２...ボルト
２０４...平座金
２０６...ナット
２１０...第１パーツ
２１２...第１半円筒体
２１４...第１プレート
２１６...長孔
２１８...リブ
２２０...立体状リブ
２２２...フック
２２４...凸条
２２６...開口縁突出部
２２８...開口
２３０...固定用突出部
２３２...凸部
２３４...切欠
２３６...切欠
２５０...第２パーツ
２５２...第２半円筒体
２５４...第２プレート
２５４Ｐ...平板部
２５４Ｓ...半円筒体周囲プレート部
２５６...開口縁係合部
２５８...固定用突出部
２６０...開口凹所
２６２...切欠
２６４...切欠
２６６...長孔
２６８...リブ
２７０...凹条
２７２...凸条
２７４...湾曲リブ
２９０...フロントカバー
２９１...係合用切欠
２９５...リアカバー
２９６...係合部
Ｓ...支柱アッシー
Ｄ...段差
ＡＢ...アンカーボルト
ＡＮ...アンカーナット
ＡＺ...アンカー座金
ＴＪ...筒軸線
【図１】
2010150873.tif 000003
【図２】
2010150873.tif 000004
【図３】
2010150873.tif 000005
【図４】
2010150873.tif 000006
【図５】
2010150873.tif 000007
【図６】
2010150873.tif 000008
【図７】
2010150873.tif 000009
【図８】
2010150873.tif 000010
【図９】
2010150873.tif 000011
【図１０】
2010150873.tif 000012
【図１１】
2010150873.tif 000013
【図１２】
2010150873.tif 000014
【図１３】
2010150873.tif 000015
【図１４】
2010150873.tif 000016
【図１５】
2010150873.tif 000017
【図１６】
2010150873.tif 000018